(57)【特許請求の範囲】
【請求項１】
ハウジングと、
該ハウジングに形成された開口部から前記ハウジング内に収容される光源と、
前記ハウジングの前記開口部から前記ハウジング内に導かれて前記光源に給電する電線と、
前記ハウジングの前記開口部を覆うカバーと、
を備えた室内照明装置であって、
前記カバーを前記ハウジングへ装着することで、前記ハウジングと前記カバーとの間に、前記電線を異なる位置で同一方向へ引き出し可能な複数の挿通孔が形成され、
前記カバーは、前記ハウジングに対して上下反転して装着可能とされ、前記カバーには、中央から外れた位置に、リブが形成され、該リブには、前記電線が挿通されるコルゲートチューブがテープ巻きして固定されることを特徴とする室内照明装置。
【発明の詳細な説明】
【技術分野】
【０００１】
本発明は、車両の天井などに取り付けられて室内を照明する室内照明装置に関する。
【背景技術】
【０００２】
自動車等の車両の天井には、室内を照明するための室内照明装置が取り付けられる（特許文献１，２参照）。
【０００３】
図９に示すように、室内照明装置１は、バルブ２が取り付けられるハウジング３と、ハウジング３に組み付けられるカバー４と、ハウジング３内のバスバに接続された電線５とを有しており、電線５は、ハウジング３とカバー４との隙間から外部に引き出されている。
【先行技術文献】
【特許文献】
【０００４】
【特許文献１】特開２０１０−２０８４３２号公報
【特許文献２】特表２００８−５１７８３２号公報
【発明の概要】
【発明が解決しようとする課題】
【０００５】
ところで、上記のような室内照明装置１では、ハウジング３とカバー４との隙間から電線５が側方へ引き出されている。このように、限られた方向へ電線が引き出される室内照明装置１を天井等へ取り付ける際には、図１０（ａ）に示すように、車両側の部品６と電線５とが干渉する場合がある。このような場合、図１０（ｂ）に示すように、車両側の部品６と電線５との干渉を避けるために、取り付け位置を変更しなければならなくなる。
【０００６】
つまり、電線５の引き出し位置が限定された室内照明装置１では、周辺部品等に合わせて配置しなければならず、取り付け位置が制限されてしまう。
【０００７】
本発明は、上述した事情に鑑みてなされたものであり、その目的は、高い自由度で取り付けることが可能な室内照明装置を提供することにある。
【課題を解決するための手段】
【０００８】
前述した目的を達成するために、本発明に係る室内照明装置は、下記（１）を特徴としている。
（１）  ハウジングと、
該ハウジングに形成された開口部から前記ハウジング内に収容される光源と、
前記ハウジングの前記開口部から前記ハウジング内に導かれて前記光源に給電する電線と、
前記ハウジングの前記開口部を覆うカバーと、
を備えた室内照明装置であって、
前記カバーを前記ハウジングへ装着することで、前記ハウジングと前記カバーとの間に、前記電線を異なる位置で同一方向へ引き出し可能な複数の挿通孔が形成され、
前記カバーは、前記ハウジングに対して上下反転して装着可能とされ、前記カバーには、中央から外れた位置に、リブが形成され、該リブには、前記電線が挿通されるコルゲートチューブがテープ巻きして固定されること。
【０００９】
上記（１）の構成の室内照明装置では、異なる位置に設けられる複数の挿通孔から選択的に電線を同じ向きへ引き出すことができる。これにより、車両の天井等に取り付ける際に、電線が車両側の部品と干渉するようなことがあっても、他の挿通孔から電線を引き出すことで、取り付け位置を変更することなく車両側の部品と電線との干渉を避けることができる。つまり、取り付け位置の自由度を大幅に向上させることができる。
また、上記（１）の構成の室内照明装置では、電線を保護するコルゲートチューブをカバーのリブにテープ巻きすることで、このコルゲートチューブを容易にカバーへ固定することができる。また、カバーを上下反転させてハウジングへ装着することでコルゲートチューブを固定するリブの位置も容易に変更することができる。これにより、取り付け位置の自由度をさらに向上させることができる。
【発明の効果】
【００１０】
本発明によれば、高い自由度で取り付けることが可能な室内照明装置を提供できる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】図１は、本実施形態に係る室内照明装置の外観を示す斜視図である。
【図２】図２は、本実施形態に係る室内照明装置の外観を示す後方側から視た斜視図である。
【図３】図３は、本実施形態に係る室内照明装置の分解斜視図である。
【図４】図４は、本実施形態に係る室内照明装置の平面図である。
【図５】図５は、図４におけるＡ−Ａ断面図である。
【図６】図６は、本実施形態に係る室内照明装置のハウジングからカバーを取り外した状態における後方側から視た斜視図である。
【図７】図７（ａ）及び図７（ｂ）は、カバーの形状を示す図であって、図７（ａ）はカバーの正面図、図７（ｂ）はカバーの平面図である。
【図８】図８は、向きを変えてカバーを取り付けた状態の室内照明装置の後方側から視た斜視図である。
【図９】図９は、室内照明装置の従来例を説明する斜視図である。
【図１０】図１０（ａ）及び図１０（ｂ）は、従来の室内照明装置における課題を説明する図であって、図１０（ａ）及び図１０（ｂ）は、それぞれ室内照明装置の概略平面図である。
【発明を実施するための形態】
【００１３】
以下、本発明に係る実施形態を、図面を参照して説明する。
【００１４】
図１は、本実施形態に係る室内照明装置の外観を示す斜視図、図２は、本実施形態に係る室内照明装置の外観を示す後方側から視た斜視図、図３は、本実施形態に係る室内照明装置の分解斜視図、図４は、本実施形態に係る室内照明装置の平面図、図５は、図４におけるＡ−Ａ断面図、図６は、本実施形態に係る室内照明装置のハウジングからカバーを取り外した状態における後方側から視た斜視図、図７（ａ）及び図７（ｂ）は、カバーの形状を示す図であって、図７（ａ）はカバーの正面図、図７（ｂ）はカバーの平面図、図８は、向きを変えてカバーを取り付けた状態の室内照明装置の後方側から視た斜視図である。
【００１５】
図１から図５に示すように、本実施形態に係る室内照明装置１１は、ハウジング１２、回路基板１３、ホルダ１４及びカバー１５を備えている。ハウジング１２は、透光性を有する樹脂材料から形成されたもので、その後端部には、開口部２１が形成されている。
【００１６】
回路基板１３には、例えば、ＬＥＤ（Light Emitting Diode）等の光源２２が実装されており、この光源２２が発光すると、この光源２２の光がハウジング１２から照射されて車両の室内が照明される。
【００１７】
回路基板１３は、プラスチック等の合成樹脂から形成されたホルダ１４に固定されている。そして、ハウジング１２の開口部２１から回路基板１３を挿し込み、ホルダ１４をハウジング１２の開口部２１に組み付けることで、ハウジング１２内に光源２２を備えた回路基板１３が配置される。
【００１８】
回路基板１３には、複数本の電線３１が半田付け等によって接続されており、この電線３１から光源２２へ給電される。これらの電線３１は、ホルダ１４に保持され、ハウジング１２の開口部２１から後方側へ引き出されている。
【００１９】
また、ハウジング１２には、その後端側の開口部２１に、カバー１５が装着されている。このカバー１５は、プラスチック等の合成樹脂から形成されたもので、このカバー１５を開口部２１へ装着することで、回路基板１３が固定されたホルダ１４及び電線３１がハウジング１２に固定され、また、ハウジング１２の開口部２１が閉鎖される。
【００２０】
図６、図７（ａ）及び図７（ｂ）に示すように、カバー１５は、開口部２１を覆う板状部４１と、この板状部４１の両端部に形成された係止片部４２とを有している。これらの係止片部４２は、ハウジング１２への装着方向へ向かって延在されており、それぞれ係止孔４３が形成されている。ハウジング１２の後端側における両側面には、係止爪４４が形成されており、これらの係止爪４４は、係止片部４２の係止孔４３に係合する。これにより、カバー１５がハウジング１２に取り付けられる。
【００２１】
また、カバー１５には、板状部４１の中央部分における上下に、凸部４５が形成されている。そして、板状部４１は、それぞれの凸部４５の両側が切欠き部４６とされている。
【００２２】
また、ハウジング１２の開口部２１には、中央部分における上部に、係合凹部４７が形成されており、この係合凹部４７には、開口部２１に装着されるカバー１５の上方側の凸部４５が嵌め込まれる。
【００２３】
そして、カバー１５をハウジング１２に取り付けると、開口部２１の下方側では、ハウジング１２の開口部２１とカバー１５の切欠き部４６との間に、カバー１５の凸部４５で仕切られた２つの細長い挿通孔５０が左右に形成される。これらの挿通孔５０は、電線３１の径よりも僅かに広い幅寸法を有しており、これらの挿通孔５０では、電線３１が並列に挿通可能とされている。これらの挿通孔５０のうちの一つには、電線３１が挿通されており、この挿通孔５０から引き出された電線３１は、コルゲートチューブ５１に通され、このコルゲートチューブ５１によって保護されている。コルゲートチューブ５１は、合成樹脂から形成されたもので、周方向に形成された凹凸が長手方向にわたって設けられて容易に屈曲可能とされている。
【００２４】
また、カバー１５の板状部４１には、ハウジング１２への装着側と反対側にリブ４８が形成されている。このリブ４８は、板状部４１の長さ方向の中央から一方側へずれた位置に形成されている。
【００２５】
このリブ４８には、コルゲートチューブ５１の端部が沿わされており、このコルゲートチューブ５１とリブ４８とをテープ巻きすることで、コルゲートチューブ５１の端部がカバー１５に固定される。
【００２６】
このカバー１５は、リブ４８を除いた部分が左右及び上下で対称形状とされている。したがって、このカバー１５は、上下を反転させてハウジング１２の開口部２１へ装着可能とされている。
【００２７】
上記構造の室内照明装置１１は、ハウジング１２にカバー１５を装着することで異なる位置に形成される複数の挿通孔５０から電線３１を同一方向へ引き出し可能とされている。
【００２８】
したがって、この室内照明装置１１を車両の天井等に取り付ける際に、電線３１が車両側の部品と干渉するようなことがあっても、他の挿通孔５０から電線３１を引き出すことで、車両側の部品との干渉を極めて容易に回避することができる。
【００２９】
また、図８に示すように、カバー１５を１８０°回動させることで上下を反転させてハウジング１２へ取り付ければ、リブ４８の位置を左右反対側に配置させることができる。これにより、コルゲートチューブ５１の固定位置も容易に変更することができる。
【００３０】
このように、上記実施形態に係る室内照明装置１１によれば、異なる位置に設けられる複数の挿通孔５０から選択的に電線３１を同一方向へ引き出すことができる。これにより、車両の天井等に取り付ける際に、電線３１が車両側の部品と干渉するようなことがあっても、他の挿通孔５０から電線３１を引き出すことで、取り付け位置を変更することなく車両側の部品と電線３１との干渉を避けることができる。つまり、取り付け位置の自由度を大幅に向上させることができる。
【００３１】
また、電線３１を保護するコルゲートチューブ５１をカバー１５のリブ４８にテープ巻きすることで、このコルゲートチューブ５１を容易にカバー１５へ固定することができる。しかも、カバー１５を上下反転させてハウジング１２へ装着することでコルゲートチューブ５１を固定するリブ４８の位置も容易に変更することができる。これにより、取り付け位置の自由度をさらに向上させることができる。
【００３２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３３】
１１  室内照明装置
１２  ハウジング
１５  カバー
２１  開口部
２２  光源
３１  電線
４８  リブ
５０  挿通孔
５１  コルゲートチューブ
【図１】
0005993607.tif 000002
【図２】
0005993607.tif 000003
【図３】
0005993607.tif 000004
【図４】
0005993607.tif 000005
【図５】
0005993607.tif 000006
【図６】
0005993607.tif 000007
【図７】
0005993607.tif 000008
【図８】
0005993607.tif 000009
【図９】
0005993607.tif 000010
【図１０】
0005993607.tif 000011